(57)【要約】【課題】双方向テレビの一つのチャンネルをインターネットプラットフォームにする。【解決手段】  インターネットプラットフォームを一つのテレビチャンネルにする手段を備え、前記テレビチャンネル化されたインターネットプラットフォームを前記双方向テレビに放送することにより、特定チャンネルに表示されるインターネットプラットフォームを選ぶことにより、前記双方向テレビでのインターネット利用を可能としたことを特徴とする。【選択図】図５
2010263625.tif 000002
【特許請求の範囲】
【請求項１】
双方向テレビの一つのチャンネルをインターネットプラットフォームにするシステムであって、該システムは、
インターネットプラットフォームを一つのテレビチャンネルにする手段を備え、
前記テレビチャンネル化されたインターネットプラットフォームを前記双方向テレビに放送することにより、特定チャンネルに表示されるインターネットプラットフォームを選ぶことにより、前記双方向テレビでのインターネット利用を可能としたことを特徴とするシステム。
【請求項２】
コンピュータネットワークコンテンツをコンピュータネットワークチャンネルに提供し、テレビコンテンツをテレビチャンネルに提供するとともに、前記双方向テレビと前記インターネットとのルーティング関係を制御や管理を行う双方向テレビネットワークルータをさらに備え、
前記コンピュータネットワークコンテンツが同時に前記コンピュータネットワークチャンネルと前記テレビチャンネルに提供され、統合化された電子番組表にて選択することにより、前記双方向テレビで前記インターネット上のコンピュータネットワークコンテンツを受信できるようにしたことを特徴とする、請求項１に記載のシステム。
【発明の詳細な説明】
【技術分野】
【０００１】
本発明は、電気通信、コンピュータ、テレビ放送の三つのネットワークを変換しあい、統合したサービスを提供するシステムに関する。双方向テレビを電気通信ネットワーク（ケーブルテレビを含むが、それに限らない）を利用して複数のチャンネルでテレビコンテンツを提供する場合、テレビチャンネルの一つをインターネット（Internet）プラットフォームにして、特に、テレビチャンネル（ケーブルテレビネットワーク、衛星放送、地上デジタルテレビ放送、ＩＰ放送を含むが、それに限らない。）を各々のインターネットプラットフォームに変換する。更に二次変換をし、テレビを見る時に、提供されたコンピュータネットワークのテレビチャンネルを使用する。
【背景技術】
【０００２】
ケーブルテレビの操作システムには、同種の或いは類似したコンピュータネットワークシステムによって作り上げられたイントラネットが用いられるが、ケーブルテレビネットワークの並列するテレビチャンネルのうちの一つのチャンネルをインターネット放送に変換することは、事業化されたことがない（図１）。
ケーブルテレビ会社は、ケーブルテレビ（を含むが、それに限らない）のケーブル或いは光ファイバーのネットワークでＡＤＳＬのインターネットサービスを提供している。しかし、その概念やビジネスモデルは、テレビとコンピュータとを別々にして、サービス（図２）を同じ回線で提供するシステムである。
コンピュータネットワークのインターネットサービスは、インターネット放送コンテンツプロバイダーが「放送コンテンツ」を提供することを可能にする。インターネット放送コンテンツプロバイダーはテレビ番組をインターネット放送用に「フォーマット変換」し、インターネットの使用者がコンピュータ（パソコン）でテレビ番組を見られるように提供する。そのコンセプトはパソコンでテレビ番組を見ることである（図３）。
双方向テレビが提供する双方向的なコミュニケーションは、全てイントラネット双方向コンテンツの提供であり、使われているネットワーク管理はイントラネット管理である。
なお、地上デジタルテレビ放送と衛星放送は双方向テレビではないが、ケーブルテレビネットワークとＩＰ放送ネットワークは双方向テレビの機能を備える。衛星放送、地上デジタルテレビ放送、ケーブルテレビネットワーク及びＩＰ放送のチャンネル番組表はそれぞれ独立しており、混じっていない。
【発明の概要】
【発明が解決しようとする課題】
【０００３】
本発明は上述のような事情に鑑み為されたものであり、双方向テレビの一つのチャンネルをインターネットプラットフォームに割り当て、双方向テレビのチャンネルでインターネットサービスを利用できるシステムを提供することである。併せて、イントラネットの放送コンテンツとインターネット放送コンテンツを一つの電子番組表に統合したシステムを提供することを目的とする。
【課題を解決するための手段】
【０００４】
本発明は、双方向テレビの一つのチャンネルをインターネットプラットフォームにするシステムであって、本発明の上記目的は、  インターネットプラットフォームを一つのテレビチャンネルにする手段を備え、前記テレビチャンネル化されたインターネットプラットフォームを前記双方向テレビに放送することにより、特定チャンネルに表示されるインターネットプラットフォームを選ぶことにより、前記双方向テレビでのインターネット利用を可能としたことを特徴とするシステムによって達成される。
【０００５】
コンピュータネットワークコンテンツをコンピュータネットワークチャンネルに提供し、テレビコンテンツをテレビチャンネルに提供するとともに、前記双方向テレビと前記インターネットとのルーティング関係を制御や管理を行う双方向テレビネットワークルータをさらに備え、
前記コンピュータネットワークコンテンツが同時に前記コンピュータネットワークチャンネルと前記テレビチャンネルに提供され、統合化された電子番組表にて選択することにより、前記双方向テレビで前記インターネット上のコンピュータネットワークコンテンツを受信できるようにしたことを特徴とする、請求項１に記載のシステム。
【図面の簡単な説明】
【０００６】
【図１】テレビチャンネルがテレビ番組だけを放送する従来のシステムを表す図である。
【図２】一つの通信回路でテレビ放送とコンピュータ通信の二つの機能を提供するサービスを表す図である。
【図３】パソコンでテレビ番組を見る場合の従来システム図である。
【図４】双方向テレビの一つのチャンネルをインターネットプラットフォームにすることを説明するための図である。
【図５】インターネットでテレビ番組を放送する時、テレビチャンネルからインターネットプラットフォームのチャンネルを選択する図である。
【図６】統合した電子番組表を使用し、パソコンとテレビの融合的放送サービスを提供するシステムを表す図である。
【図７】伝統的な双方向テレビネットワークのイントラネットの系統図である。
【図８】双方向テレビネットワークを「インターネットとの共通化」にするシステムを示す図である。
【図９Ａ】台湾におけるテレビチャンネルの現状を表す図である。
【図９Ｂ】本発明によって実現されるチャンネルの配列を示す図である。
【発明を実施するための形態】
【０００７】
本発明の特徴は、並列しているテレビチャンネルの単一（含むがそれに限らない）チャンネルを一つのコンピュータネットワークのプラットフォームとして利用するシステムである。特にテレビチャンネルの一つ或いはそれ以上をインターネットプラットフォームにし、インターネット放送コンテンツを電子番組表に統合し、放送コンテンツを提供するシステムである。
作業技術内容は構造的に複雑であり、電気通信（テレコム）、コンピュータネットワーク、テレビ放送の三つのネットワークの融合過程において、消費者に最高な利便性を提供できる発明である。コンピュータでの変換作業を経たテレビチャンネルを視聴する時、テレビチャンネルを変えることで、コンピュータネットワーク又はインターネット放送コンテンツのテレビチャンネルにアクセスし、インターネットサービスを使用できるシステムである。そして、ケーブルテレビ番組、衛星放送番組、地上デジタルテレビ番組とＩＰ放送番組が元のチャンネル順番のままに並べられるのではなく、一つの混成番組表に統合される。
【０００８】
本発明は、テレビチャンネルをインターネット化するシステムであり、その特徴として、並列する他のテレビチャンネルの単一双方向テレビチャンネルを一つのコンピュータネットワーク（インターネットを含むが、それに限らない）プラットフォームにするシステムで、双方向テレビの単一双方向チャンネルでコンピュータネットワークサービスを提供するものである。
【０００９】
本発明は双方向性とコンテンツが「インターネットとの共通化された」（Non-Intranet）のコンピュータネットワークサービを提供する。即ち双方向テレビ番組チャンネルでインターネットを利用できるプラットフォームを提供するものである。
【００１０】
本発明はテレビ番組チャンネルでインターネットを利用できるプラットフォームを提供する。即ちインターネットプラットフォームとして使われるテレビ番組チャンネルで、インターネット接続するために必要である全てのネットワーク管理機能、ネットワークサービス機能、ネットワーク実行機能を提供する。
【００１１】
本発明はテレビ番組チャンネルでインターネットを利用できるプラットフォームを提供する。即ち、インターネットプラットフォームとして使われる双方向テレビ番組チャンネルの制御システムであって、接続した双方向テレビのテレビチャンネルを端末ネットワークに必要なインターネットアドレスとして提供及び管理する。
【００１２】
また、本発明は複数の双方向テレビ番組チャンネルで個別にインターネット放送コンテンツプラットフォームを提供する。特に、このプラットフォームが配信するコンテンツは、プラットフォームの元のチャンネル順番によって並べられる特定のケーブルテレビチャンネル番組、衛星放送チャンネル番組、地上デジタルテレビ放送チャンネル番組又はＩＰ放送チャンネル番組ではなく、インターネット放送コンテンツと他のテレビチャンネルの番組を電子番組表に統合して提供されるものである（図４、図５）。接続した双方向テレビに各インターネットを使用するテレビチャンネルを端末ネットワークに必要なインターネットアドレスとして提供や管理をする。
【００１３】
本発明は元々関わりのないテレビとコンピュータの両ネットワークを電子番組表に統合し、コンピュータとテレビに向けてコンピュータとテレビのインターネット放送を融合し、そしてコンピュータやテレビで受信できるサービスを提供する（図６）。実施方法は、テレビセットトップボックスでＡＤＳＬの信号を受信し、コンピュータネットワークＡＤＳＬクライアントでのテレビ信号同時受信の制限を解消することができる。なお、セットトップボックス（ＳＴＢ：Set  Top  Box）とは、ケーブルテレビ放送や衛星放送、地上波テレビ放送（デジタル放送、アナログ放送）、ＩＰ放送（ブロードバンドＶＯＤなど）などの放送信号を受信して、一般のテレビで視聴可能な信号に変換する装置のことであり、ブラウン管テレビではテレビの上に置いていたことからこの名が付いた。
【００１４】
以下、図面を参照しつつ、詳細に説明する。
図１はテレビチャンネルがテレビ番組だけを放送する従来のシステムを表す図である。１１は全てのテレビチャンネルを表しており、全てのテレビチャンネルの信号が矢印１２のようにテレビに送り込まれる。テレビリモコン１３でチャンネルを選択し、このチャンネル番組はテレビスクリーン１４で放送される。リモコン１３でこのチャンネルだけを放送画面としてテレビに設定する。
【００１５】
図２は、一つの通信回路でテレビ放送とコンピュータ通信の二つの機能を提供する従来のサービスを表す図である。２１はＡＤＳＬ用チャンネルであり、ＡＤＳＬコントローラ２２がＡＤＳＬチャンネル２１を信号回路２４に送り込んで、コンピュータネットワーククライアントに放送する。
テレビチャンネルコントローラ２３がテレビ番組チャンネル１１を信号回路２４に送り込んで、テレビクライアントに放送する。
信号回路２４で、テレビとコンピュータの二つの機能コンテンツ信号を放送するサービスを提供する。
２５はテレビクライアントであり、ユーザはテレビ画面１４で視聴する。２６はコンピュータネットワーククライアントであり、選択されたコンピュータコンテンツがパソコン（コンピュータの一つの実施形態）の画面２７に映る。
コンピュータネットワーク画面２７で、ネットワーク信号回路２４を通し、ＡＤＳＬチャンネル２１でのサービスを受信する。
【００１６】
図３は、パソコンでテレビ番組を見る場合の従来システムの図である。３１はテレビ番組の変換及びチャンネルを制御する制御システムであり、テレビチャンネルが変換されてから制御システム３１に保存され、コンピュータネットワークのＡＤＳＬチャンネル２１が選ばれたら、制御システム３１が対応するコンテンツをパソコン２７に表示する。
３２１、３２２、３２３はそれぞれテレビチャンネルであり、テレビ番組の変換及びチャンネル制御を行う制御システム３１により、テレビチャンネル番組をデータストリームに変換し、コンピュータネットワーク画面２７がテレビ番組、例えば３３を視聴する時、制御システム３１が対応するテレビチャンネル３２３のテレビ番組３３をコンピュータネットワーククライアントに送信し、コンピュータネットワーク画面２７に映るように提供する。
【００１７】
図４は双方向テレビの一つのチャンネルをインターネットプラットフォームにすることを説明するための図である。制御システム４１はインターネットプラットフォームを一つのテレビチャンネル４２１にするとともに、二つのインターネット放送プラットフォームをテレビチャンネル４２２,４２３にそれぞれする。４２１、４２２、４２３は、単一テレビチャンネルであり、インターネットプラットフォームとインターネット放送プラットフォームとして、それぞれテレビ４３にコンピュータネットワーク画面２７で選択されたコンテンツを放送する。
【００１８】
図５は、インターネットでテレビ番組を放送する時に、テレビチャンネルからインターネットプラットフォーム用のチャンネルを選択する図である。
５１は元々ＡＤＳＬで放送されたインターネットコンテンツであり、これを制御システム４１で変換してテレビチャンネル５２１、５２２、５２３に放送する。
５２１、５２２、５２３は三つの単一テレビチャンネルであり、本発明により、ＡＤＳＬ５１で放送されるインターネットプラットフォームとインターネット放送プラットフォームをこの三つのテレビチャンネルで放送することができる。その映像はテレビ画面５４に映るものである。
５３１、５３２、５３３は三つの単一テレビチャンネルであり、変換されたテレビ番組をコンピュータネットワークに放送するテレビチャンネルである。これらは、普通のテレビチャンネル３２１、３２２、３２３と地位が並列するが、その原始コンテンツはインターネットプラットフォームから５２１、５２２、５２３に変換したものである。
５４はインターネットで放送するテレビチャンネルの画面であり、特に、例として放送するのがテレビチャンネル５３１、５３２、５３３の中の一つである。５５はテレビ画面５４から特定チャンネルに放送されるインターネットプラットフォームを選ぶことを表している。
【００１９】
図６は、統合した電子番組表を使用し、パソコンとテレビの融合的放送サービスを提供するシステムを表す図である。６１は、ネットワークコンテンツコントローラであり、コンピュータネットワークコンテンツをＡＤＳＬチャンネル６３に提供し、テレビコンテンツをテレビチャンネル６４に提供する。本発明により提供されたコンピュータネットワークコンテンツが同時にＡＤＳＬチャンネル６３とテレビチャンネル６４１、６４２、６４３に供給される。６２は双方向テレビネットワークハードウェアであり、ケーブル、光ファイバー或いは電話回線を含むが、それに限らない。６５はパソコンであり、インターネット上のＡＤＳＬサイトコンテンツを受信でき、テレビチャンネル一覧６４の全てのテレビ単一チャンネル番組を視聴することが出来る。また、６６は双方向テレビであり、テレビチャンネル一覧６４の全てのテレビ単一チャンネル番組を視聴でき、インターネット上のＡＤＳＬサイトコンテンツを受信できる。
【００２０】
図７は伝統的な双方向テレビネットワークのイントラネットの系統図である。７１は双方向テレビネットワークのネットワーク制御システムであり、この実施例はケーブルテレビネットワークである。
双方向テレビネットワーク７２は、インターネットに対してイントラネットに属し、テレビがインターネット７５とは関わらない。７３１、７３２及び７３３は双方向テレビネットワークのテレビであり、ネットワーク制御システム７１を介してイントラネットサイト７４と双方向通信を行う。イントラネットサイト７４は、ネットワーク制御システム７１を介して双方向テレビ７３１、７３２及び７３３と双方向通信を行う。インターネット７５は、双方向テレビのテレビ７３１、７３２及び７３３のネットワークとは連結していない。７６はインターネット７５と双方向テレビネットワーク（イントラネット）７２の接続関係を表し、テレビ７３１、７３２、７３３はインターネット７５と直接には連接しないことを示している。
７７は地上デジタルテレビ放送ネットワークを表し、テレビ番組７７１を放送する。７６７は地上デジタルテレビ放送ネットワーク７７とインターネット７５とは接続関係がなく、双方向テレビネットワーク７２とも接続関係がないことを表している。７８はＩＰ放送ネットワークを表し、テレビ番組７８２、７８３を放送する。７６８は、ＩＰ放送ネットワーク７８とインターネット７５とは接続関係がなく、双方向テレビネットワーク７２とも接続関係がないことを示している。７９は衛星放送ネットワークであり、テレビ番組７４９を放送する。７６９は、衛星放送ネットワーク７９とインターネット７５とは接続関係がなく、双方向テレビネットワーク７２とも接続関係がないことを示している。
【００２１】
図８は、双方向テレビネットワーク７２の「インターネットとの共通化」を示す図である。８２は双方向テレビネットワークルータであり、双方向テレビとインターネット７５とのルーティング関係を制御や管理するものである。８３は、双方向テレビイントラネット７２とインターネット７５との共通化が図られ、双方向テレビをインターネット７５のサイトにすることを示している。８３は双方向テレビのインターネット７５でのＵＲＬアドレスとルーティングパスを表している。８５１、８５２、８５３は、双方向テレビで放送される番組であり、それぞれ元のイントラネットテレビ７７１、７８２、７８３で放送されるテレビ番組である。
８７は地上デジタルテレビ放送番組７７１がインターネット７５を介して、双方向テレビネットワーク７２に放送されることを示している。
８８はＩＰ放送ネットワーク番組７８２、７８３がインターネット７５を介して、双方向テレビネットワーク７２に放送されることを示している。
８９は、衛星放送番組７９４がインターネット７５を介して、双方向テレビネットワーク７２に放送されることを示している。
【産業上の利用可能性】
【００２２】
多くの視聴者は、テレビチャンネルを若い番号である１から順番に回す習慣があるので、チャンネル番号が小さいほど選択される可能性が高い。多くのテレビでは、視聴者の好みで自由にチャンネル番号を設定することができるが、コンテンツ提供側にとって視聴率を向上させる手段として利用できない。
図９Ａは現在の台湾におけるテレビチャンネルの一例であり、チャンネル６、８、１０、１２が人気のあるチャンネルであるが、チャンネル７、９、１１は人気のない又は小さい放送局のチャンネルである。つまり、商業価値のないチャンネル７、９、１１に対応する放送局が非常に良いチャンネル（若い番号のチャンネル）を占めている。一方、チャンネル７８、９５、１０２などが、例えば、大量の資金で制作された番組又はドラマを放送しようとするときに、チャンネル番号が大きいため、視聴者に検索されずに、自分のチャンネルが選択される可能性が低いことに悩んでいる。
本発明では、上記のような若い番号であるにもかかわらず人気のないチャンネルである７、９、１１チャンネルをインターネットプラットフォームにして、インターネットを経由してテレビを放送するので、チャンネル資源の再配分することができる。上記した例では、チャンネル９５、７８、１０２はテレビネットワーク会社と契約を結び、図９Ｂに示すように、契約期間中にチャンネル９５、７８、１０２のコンテンツがそれぞれチャンネル７、９、１１で放送される。このようにすると、チャンネル９５、７８、１０２のコンテンツが選択される可能性が向上され、視聴率が向上される可能性もある。
【符号の説明】
【００２３】
２１  ＡＤＳＬ用チャンネル
２６  コンピュータネットワーククライアント
２７  コンピュータネットワーク画面
３１  制御システム
３２１、３２２、３２３  テレビ番組チャンネル
４１  制御システム
５１  ＡＤＳＬ用インターネットコンテンツ
５２１、５２２、５２３  単一テレビチャンネル
５３１、５３２、５３３  単一テレビチャンネル
５４  インターネット放送テレビチャンネルの画面
６１  ネットワークコンテンツコントローラ
６２  双方向テレビネットワークハードウェア
６３  ＡＤＳＬ用チャンネル
６４  テレビチャンネル一覧
６４１、６４２、６４３  テレビ単一チャンネル
６５  コンピュータ（パソコン）
６６  双方向テレビ
【図１】
2010263625.tif 000003
【図２】
2010263625.tif 000004
【図３】
2010263625.tif 000005
【図４】
2010263625.tif 000006
【図５】
2010263625.tif 000007
【図６】
2010263625.tif 000008
【図７】
2010263625.tif 000009
【図８】
2010263625.tif 000010
【図９Ａ】
2010263625.tif 000011
【図９Ｂ】
2010263625.tif 000012